(57)【要約】  車速算出方法と装置、及び車速算出装置を備えた運転者の状態監視システムが開示される。車速算出装置は、入力ソケットに接続された原始データ生成装置から入力される原始データをＵＡＲＴポートとＧＰＩＯポートを介して各々提供され、ＵＡＲＴポートとＧＰＩＯポートを介して各々提供された２つの形態の原始データに対する有効性検査を実施して、いずれか１つの原始データを有効な原始データであると判別した後、上記有効な原始データに対応するように生成した信号タイプ情報と上記有効な原始データを出力する信号判別部と；上記信号タイプ情報と上記有効な原始データを入力され、上記信号タイプ情報に合致するように、予め指定された処理方法に応じて上記有効な原始データを処理して算出した車両速度に対応する車両速度情報を生成する車速算出部と、含む。
2019515268.tif 000002
【特許請求の範囲】
【請求項１】
車速算出装置において、
入力ソケットに接続された原始データ生成装置から入力される原始データをＵＡＲＴポートとＧＰＩＯポートを介して各々提供され、ＵＡＲＴポートとＧＰＩＯポートを介して各々提供された２つの形態の原始データに対する有効性検査を実施して、いずれか１つの原始データを有効な原始データであると判別した後、上記有効な原始データに対応するように生成した信号タイプ情報と上記有効な原始データを出力する信号判別部と；
上記信号タイプ情報と上記有効な原始データを入力され、上記信号タイプ情報に合致するように、予め指定された処理方法に応じて上記有効な原始データを処理して算出した車両速度に対応する車両速度情報を生成する車速算出部と、
を含む車速算出装置。
【請求項２】
上記原始データ生成装置は、原始データにＧＰＳ信号を出力する測位器または原始データで矩形波パルス信号を出力する車両速度センサであることを特徴とする請求項１に記載の車速算出装置。
【請求項３】
上記信号判別部は、上記ＵＡＲＴポートを介して入力された原始データについては、ＮＭＥＡ規格に基づいてチェックサムをチェックする有効性検査を実施し、上記ＧＰＩＯポートを介して入力された原始データに対しては、パルス間隔と隣接しているパルス間隔との差を一定時間の間に測定する有効性検査を実施することを特徴とする請求項２に記載の車速算出装置。
【請求項４】
上記信号判別部は、上記ＵＡＲＴポートと上記ＧＰＩＯポートを介して各々入力された原始データに対する有効性検査によって入力された原始データのすべてが無効信号であると判別されると、上記信号タイプ情報と、有効な原始データの出力を省略することを特徴とする請求項３に記載の車速算出装置。
【請求項５】
上記信号判別部は、予め指定された条件を満たしている場合にのみ、上記２つの原始データに対する有効性検査を実施し、
上記予め指定された条件は、上記入力ソケットに原始データ生成装置が接続解除されてから、再接続されたと検知された場合、及び車両が始動オフの状態から始動オンに切り替えられた場合のいずれか１つ以上を含むことを特徴とする請求項２に記載の車速算出装置。
【請求項６】
上記有効な原始データを他の電子装置に提供するための伝達ユニットを更に含み、
上記伝達ユニットは、
上記有効な原始データを上記他の電子装置に出力するためのＵＡＲＴポートと；
ＧＰＩＯポートを介して提供された原始データが有効な原始データであると判別された場合、上記有効な原始データをＧＰＳ信号規格でエンコードして上記ＵＡＲＴポートに提供するＮＭＥＡエンコーダと、
を含むことを特徴とする請求項１に記載の車速算出装置。
【請求項７】
請求項１から６のいずれか一項に記載の車速算出装置を含む運転者の状態監視システム。
【発明の詳細な説明】
【技術分野】
【０００１】
本発明は、車速算出方法と装置、及び車速算出装置を備えた運転者の状態監視システムに関する。
【背景技術】
【０００２】
韓国登録特許第１０−０４１２６９１号公報に開示されているように、最近の画像処理技術と音声認識技術などを活用して、車両の運転者が居眠り運転をしているか否かを検知し、警告音送出等で車両の運転者の注意を喚起させるだけでなく、能動的に緊急状況に対処できるようにする運転者の状態監視装置が多様に開発されてきている。
【０００３】
しかし、このような運転者の状態監視装置に備えられた運転者の眠気や不注意を警告する機能は、車両が走行中である場合には、意味があるが、車両が停車した状態では、むしろ運転者の意図された行為を妨害して不快感を招くこともある。
【０００４】
したがって、車両の走行や停車の可否が判断され、これをもとに眠気及び不注意の警告機能が適切に運用される必要があるにも関わらず、従来の運転者の状態監視装置は、車両の走行状況とは無関係に警告機能が行われるという限界があった。
【０００５】
車両の走行や停車の可否を判断するために、一例として、車両の速度情報を活用することができる。車両の速度情報を算出するための原始データ（Ｒａｗ  Ｄａｔａ）は、例えば、車両のＯＢＤ（Ｏｎ−Ｂｏａｒｄ  Ｄｉａｇｎｏｓｔｉｃｓ）端子を介して取得されたり、車両に装着されたＧＰＳモジュールから提供されたり、車両の変速機に装着されたホールセンサなどの車両速度センサーから取得することができる。
【０００６】
つまり、ＯＢＤ端子を介して原始データが取得されると、車速算出装置は、予めインストールされたプログラムを駆動して獲得した原始データを分析し、車両の速度情報を算出する。このとき、車速算出装置には、ＣＡＮインタフェースが備えられていなければならない。
【０００７】
また、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ、汎用非同期送受信機）の通信方式で、車速算出装置がＧＰＳモジュールからの原始データを提供されて、車両の速度情報を算出することもできる。
【０００８】
また、車速算出装置は、車両速度センサからＧＰＩＯ（汎用入出力ポート）を介して原始データを取得し、車両の速度情報を算出することもできる。
【０００９】
しかし、従来の車速算出装置は、車両速度の算出が可能なように、様々な原始データ生成装置（例えば、ＧＰＳモジュール、車両速度センサ等）から各々提供される様々な形式の原始データを入力されて処理する汎用の装置として具現されず、いずれかの原始データ生成装置のみに限定的に適合するように各々製作及び販売されている。
【００１０】
これは、製品の生産、在庫、及び流通管理に困難を生じさせるだけではなく、車両に備えられた原始データ生成装置が異なるタイプに取り替えられる場合には、これを満たすように車速算出装置も取り替える必要があるという問題を引き起こす。
【先行技術文献】
【特許文献】
【００１１】
【特許文献１】韓国登録特許第１０−０４１２６９１号公報
【発明の概要】
【発明が解決しようとする課題】
【００１２】
本発明の目的は、様々な種類の原始データ生成装置と接続されて駆動され得る汎用の車速算出装置を具現することにより、車両速度の算出のために、様々な形式の原始データ（つまり、ＮＭＥＡ規格のＧＰＳ信号、車両速度センサーからの矩形波パルス信号など）を制限なく利用できるようにして、車速算出装置に接続された原始データ生成装置が、任意の形式の原始データを入力するかどうか自動判別して処理することのできる車速算出方法と装置、及び車速算出装置を備えた運転者の状態監視システムを提供することにある。
【００１３】
本発明の他の目的は、汎用の車速算出装置を具現することにより、原始データ生成装置の取替えに関係なく、同じ車速算出装置を継続的に使用することができ、製品の生産、在庫、及び流通管理に便宜を図ることができる車速算出方法と装置、及び車速算出装置を備えた運転者の状態監視システムを提供することにある。
【００１４】
本発明の更に他の目的は、車速算出装置で算出された車両速度情報を車両に備えられた様々な電子装置に有無線通信方式で提供して、指定された目的に応じて活用できるようにする車速算出方法と装置、及び車速算出装置を備えた運転者の状態監視システムを提供することにある。
【００１５】
本発明の以外の目的は、下記の説明に基づいて容易に理解することができる。
【課題を解決するための手段】
【００１６】
本発明の一側面によると、車速算出装置において、入力ソケットに接続された原始データ生成装置から入力される原始データをＵＡＲＴポートとＧＰＩＯポートを介して各々提供され、ＵＡＲＴポートとＧＰＩＯポートを介して各々提供された２種類の原始データに対する有効性検査を実施して、いずれか１つの原始データを有効な原始データであると判別した後、上記有効な原始データに対応するように生成した信号タイプ情報と上記有効な原始データを出力する信号判別部と；上記信号タイプ情報と上記有効な原始データを入力され、上記信号タイプ情報に合致するように、予め指定された処理方法に応じて上記有効な原始データを処理して算出した車両速度に対応する車両速度情報を生成する車速算出部と、含む車速算出装置が提供される。
【００１７】
上記原始データ生成装置は、原始データでＧＰＳ信号を出力する測位器または原始データで矩形波パルス信号を出力する車両速度センサであることができる。
【００１８】
上記信号判別部は、上記ＵＡＲＴポートを介して入力された原始データについては、ＮＭＥＡ規格に基づいてチェックサムをチェックする有効性検査を実施し、上記ＧＰＩＯポートを介して入力された原始データに対しては、パルス間隔と隣接しているパルス間隔との差を一定時間の間に測定する有効性検査を実施することができる。
【００１９】
上記信号判別部は、上記ＵＡＲＴポートと上記ＧＰＩＯポートを介して各々入力された原始データに対する有効性検査によって入力された原始データのすべてが無効信号であると判別されると、上記信号タイプ情報と、有効な原始データの出力を省略することができる。
【００２０】
上記信号判別部は、予め指定された条件を満たしている場合にのみ、上記２つの原始データに対する有効性検査を実施し、上記予め指定された条件は、上記入力ソケットに原始データ生成装置が接続解除されてから、再び接続されたと検知された場合、及び車両が始動オフの状態から始動オンに切り替えられた場合のいずれか１つ以上を含むことができる。
【００２１】
上記有効な原始データを他の電子装置に提供するための伝達ユニットを更に含み、上記伝達ユニットは、上記有効な原始データを上記他の電子装置に出力するためのＵＡＲＴポートと；ＧＰＩＯポートを介して提供された原始データが有効な原始データであると判別された場合、上記有効な原始データをＧＰＳ信号規格でエンコードして上記ＵＡＲＴポートに提供するＮＭＥＡエンコーダと、を含むことができる。
【００２２】
本発明の他の側面によると、前述した車速算出装置を含む運転者の状態監視システムが提供される。
【００２３】
上記以外の他の側面、特徴、利点が、以下の図面、特許請求の範囲及び発明の詳細な説明から明らかになるだろう。
【発明の効果】
【００２４】
本発明の実施例によると、様々な種類の原始データ生成装置と接続されて駆動され得る汎用の車速算出装置を具現することにより、車両速度の算出のために、様々な形式の原始データ（つまり、ＮＭＥＡ規格のＧＰＳ信号、車両速度センサからの矩形波パルス信号など）を制限なく利用できるようにするという効果がある。
【００２５】
また、汎用の車速算出装置が接続された原始データ生成装置からどのような形式の原始データを入力するか自動判別して処理することができるという効果もある。
【００２６】
また、汎用の車速算出装置を具現することにより、原始データ生成装置の取替えに関係なく、同じ車速算出装置を継続的に使用することができ、製品の生産、在庫、流通管理に便宜を図ることができるという効果もある。
【００２７】
また、車速算出装置で算出された車両速度情報を車両に備えられた様々な電子装置に有無線通信方式で提供して、指定された目的に応じて活用できるようにするという効果もある。
【図面の簡単な説明】
【００２８】
【図１】本発明の一実施例に係る車速算出装置の構成を示した図である。
【図２】本発明の一実施例に係る車速算出装置を備えた運転者の状態監視システムの構成を示した図である。
【図３】本発明の一実施例に係る車速算出方法を示したフローチャートである。
【発明を実施するための形態】
【００２９】
本発明は、様々な変換を加えることができ、複数の実施例を有することができるので、特定の実施例を図面に例示し、詳細な説明において詳細に説明しようとする。しかしながら、これは、本発明を特定の実施例について限定しようとするものではなく、本発明の思想及び技術範囲に含まれるあらゆる変更、均等物ないし代替物を含むものと理解されるべきである。
【００３０】
本明細書で使用した用語は、単に特定の実施例を説明するために使用されたものであり、本発明を限定しようとする意図ではない。単数の表現は、文脈上明白に異なる意味でない限り、複数の表現を含む。本明細書において、“含む”又は“持つ”などの用語は、明細書上に記載されている特徴、数字、段階、動作、構成要素、部品又はこれらを組み合わせたものが存在していることを指定しようとするだけであり、一つ又はその以上の他の特徴や数字、段階、動作、構成要素、部品又はこれらを組み合わせたものなどの存在又は付加可能性を予め排除するわけではないと理解されるべきである。
【００３１】
また、各図面を参照して説明する実施例の構成要素は、当該実施例のみに限定的に適用されるものではなく、本発明の技術的思想が維持される範囲内で他の実施例に含まれるように具現することができ、また、別の説明が省略されても、複数の実施例が纏められた一つの実施例で再具現できることも当然なことである。
【００３２】
また、添付の図面を参照して説明するに際して、図面符号に関係なく、同じ構成要素は、同じか関連する参照符号を付し、これに関する重複する説明は、省略することにする。本発明を説明するに際して、関連する公知技術に関する具体的な説明が、本発明の要旨を不要に曖昧にすると判断される場合、その詳細な説明を省略する。
【００３３】
図１は、本発明の一実施例に係る車速算出装置の構成を示した図である。
【００３４】
図１を参照すると、車速算出装置１００は、入力ソケット１０５と主処理ユニット１１０と、を含むことができる。
【００３５】
入力ソケット１０５は、原始データを入力されるために、原始データ生成装置１３０の原始データ出力用のプラグに結合される。
【００３６】
入力ソケット１０５は、例えば、イヤホンコネクタソケットの形状に形成されることができ、ＧＰＳモジュールを含む測位器１３２と車両速度センサであって、例えば、ホールセンサであるセンサ１３４のいずれか１つ（以下、原始データ生成装置１３０と称する）の原始データ出力用のプラグに結合される。入力ソケット１０５と原始データ出力用のプラグが結合されることで、接地（ＧＮＤ）端子も相互接続される。
【００３７】
また、入力ソケット１０５は、原始データ出力用のプラグとの結合によって、原始データ生成装置１３０から入力される原始データを、後述する信号入力部１１４のＵＡＲＴポートとＧＰＩＯポート（Ｇｅｎｅｒａｌ  Ｐｕｒｐｏｓｅ  Ｉｎｐｕｔ／Ｏｕｔｐｕｔ、多目的入出力ポート）とに分配して各々入力するように構成される。
【００３８】
主処理ユニット１１０は、接続検知部１１２、信号入力部１１４、信号判別部１１６及び車速算出部１１８を含むことができる。
【００３９】
接続検知部１１２は、入力ソケット１０５とＧＮＤ端子とが接続された状態に保持され、入力ソケット１０５に原始データ出力用のプラグが結合されているかどうかをＧＰＩＯポートのＧＰＩＯ電圧レベルによって検知し、結合されている場合は、接続通知（Ｃｏｎ＿Ｎｏｔｉ）を信号判別部１１６に提供する。
【００４０】
例えば、原始データ出力用のプラグが入力ソケット１０５に結合されて相互間の接地端子が接続されると、接続検知部１１２のＧＰＩＯ電圧レベルがハイ（Ｈｉｇｈ）レベルからＧＮＤ電圧レベルに低下し、接続検知部１１２は、これにより、入力ソケット１０５に原始データ出力用のプラグが結合されていることを検知することができる。
【００４１】
しかし、もし接続検知部１１２のＧＰＩＯ電圧レベルがハイ（Ｈｉｇｈ）レベルの状態に保持されると、ＧＮＤラインがオープン（ｏｐｅｎ）された状態であるため、入力ソケット１０５に原始データ出力用のプラグが結合されていないことを検知するすることができる。この場合は、接続検知部１１２は、信号判別部１１６に接続解除通知を提供することもできる。
【００４２】
信号入力部１１４は、ＵＡＲＴポートとＧＰＩＯポートとを備え、入力ソケット１０５からの原始データ生成装置１３０から入力される原始データをＵＡＲＴポートとＧＰＩＯポートを介して各々提供される。
【００４３】
信号入力部１１４は、ＵＡＲＴポートとＧＰＩＯポートに各々入力された原始データのうち、どのような経路を介して入力された原始データが有効な原始データであるかを判別して利用できるようにするために、ＵＡＲＴポートとＧＰＩＯポートを介して入力されるおの各々の原始データを信号判別部１１６に伝達する。
【００４４】
入力ソケット１０５には、前述したように、ＵＡＲＴポートを介して入出力されるべきＧＰＳ信号を出力する測位器１３２とＧＰＩＯポートを介して入出力されるべき矩形波パルス信号を出力するセンサ１３４のいずれか１つが原始データ生成装置１３０として結合される。
【００４５】
ただし、入力ソケット１０５にどのような種類の原始データ生成装置１３０が結合されているかは、後述する信号判別部１１６で判別されるので、入力ソケット１０５から信号判別部１１６までの区間では、入力された原始データがＵＡＲＴポートとＧＰＩＯポートの両方を介して各々入出力されるように処理される。以後、信号判別部１１６は、測位器１３２とセンサー１３４のいずれか１つを入力ソケット１０５に結合された原始データ生成装置１３０であると判別した後、車両の速度が算出されるように、有効な原始データだけを車速算出部１１８に伝達する。
【００４６】
このような構成により、入力ソケット１０５に測位器１３２とセンサー１３４のいずれか１つが原始データ生成装置１３０として結合されて使用されているうちに、原始データ生成装置１３０が測位器１３２とセンサー１３４の残りの１つに取り替えられても、本実施例に係る車速算出装置１００は、取り替えることなく続いて使用できるという特徴がある。
【００４７】
信号判別部１１６は、原始データ出力用のプラグが入力ソケット１０５に結合されたことを検知した接続検知部１１２から接続通知（Ｃｏｎ＿Ｎｏｔｉ）が入力され、信号入力部１１４のＵＡＲＴポートとＧＰＩＯポートから各々原始データが入力されると、入力された２つの原始データのうちどのような経路を介して入力された原始データが有効な原始データであるかを判別する。
【００４８】
信号判別部１１６は、ＵＡＲＴポートを介して入力された原始データに対しては、例えば、ＮＭＥＡ（Ｎａｔｉｏｎａｌ  Ｍａｒｉｎｅ  Ｅｌｅｃｔｒｏｎｉｃｓ  Ａｓｓｏｃｉａｔｉｏｎ）規格に基づいてチェックサム（ｃｈｅｃｋｓｕｍ）をチェックすることにより、有効な原始データかどうかを判断することができる。
【００４９】
したがって、もし入力ソケット１０５に接続された原始データ生成装置１３０が測位器１３２であり、入力された原始データがＧＰＳ信号であるならば、信号判別部１１６は、ＵＡＲＴポートを介して入力された原始データが有効な原始データであると判断することになる。
【００５０】
同様に、信号判別部１１６は、ＧＰＩＯポートを介して入力された原始データに対しては、例えば、パルス間隔（つまり、速度に比例する情報）と隣接したパルス間隔との違い（つまり、加速度に比例する情報）を一定時間の間測定して、有効な原始データかどうかを判断する。
【００５１】
もし入力ソケット１０５に接続された原始データ生成装置１３０が測位器１３２であり、入力された原始データがＧＰＳ信号であるならば、ＧＰＩＯポートを介して入力されたＧＰＳ信号は、最も遅いボーレート（ｂａｕｄ  ｒａｔｅ）でもセンサー１３４から出力される矩形波パルス信号に比べて一般的に非常に高い周波数を持つため、異常な高速に測定され、無効な原始データであると判断される。
【００５２】
信号判別部１１６は、ＵＡＲＴポートとＧＰＩＯポートの各々を介して入力された２つの原始データに対してそれぞれ有効性検査を実施し、有効な原始データであると判断した原始データがどのような経路（つまり、ＵＡＲＴポートまたはＧＰＩＯポート）を介して入力されたかによって、入力ソケット１０５に接続された原始データ生成装置１３０が測位器１３２またはセンサー１３４か、また、原始データのタイプが、ＧＰＳ信号または矩形波パルス信号かを判別することができる。
【００５３】
ここで、信号判別部１１６が、ＵＡＲＴポートとＧＰＩＯポートの各々を介して入力された２つの原始データのうち、どのような経路を介して入力された原始データに対してまず有効性検査を実施すべきであるかについての順序的な制限はなく、必要に応じて多様に設定することができる。
【００５４】
この場合、入力された２つの原始データのうち先行して判断したいずれか１つの原始データが有効でないと判断されると、信号判別部１１６は、追加の有効性検査を省略し、有効性検査が行われていない残りの原始データを有効な原始データであると判別することにより、有効な原始データの判別に関する処理時間を節約することもできる。
【００５５】
もちろん、信号判別部１１６は、異なる経路に各々入力された２つの原始データの両方に対して有効性検査をそれぞれ行った後、入力された２つの原始データの両方が有効でない信号と判断された場合は、入力された２つの原始データの両方が無効信号であると判別することもできる。もし２つの原始データの両方が無効信号であると判断された場合は、信号判別部１１６は、車速算出部１１８にどのような原始データも伝達しないように処理することができる。
【００５６】
信号判別部１１６は、有効性検査によっていずれか１つの原始データが有効な原始データであると判断した場合は、有効な原始データに対応する信号タイプ情報（Ｓ＿Ｔｙｐｅ）と有効な原始データ（Ａ＿Ｓｉｇｎａｌ）を車速算出部１１８に入力する。
【００５７】
信号タイプ情報は、例えば、原始データ生成装置１３０が測位器１３２またはセンサー１３４であるか、あるいは、原始データの種類がＧＰＳ信号または矩形波パルス信号であるかのうちいずれか１つ以上を含むか、これに対応するように予め指定された情報であってもよい。
【００５８】
また、有効な原始データは、ＵＡＲＴポートとＧＰＩＯポートを介して各々入力された２つの原始データのうち、有効であると判断された一つの原始データであり、車速算出部１１８に入力されるように信号判別部１１６によってバイパス（ｂｙｐａｓｓ）処理することができる。
【００５９】
信号判別部１１６は、信号入力部１１４から２つの原始データが入力される時点ごとに有効な原始データを判別するための作業を繰り返し行わず、予め指定された条件に合致するときにのみ、予め指定された単位時間の間信号タイプ情報を生成するための処理を行い、指定された条件に再び合致するまでは、信号タイプ情報に対応する原始データを車速算出部１１８にバイパスさせる処理を行うこともできる。
【００６０】
ここで、予め指定された条件は、例えば、接続検知部１１２から接続解除通知が入力されてから、接続通知が再入力された場合、車両が始動オフの状態から始動オンに切り替えられた場合などがこれに該当する。そして、予め指定された単位時間は、入力された２つの原始データのうち１つ以上に対する有効性検査を完了して、信号タイプ情報を生成するために必要な時間に予め指定することができる。
【００６１】
車速算出部１１８は、信号判別部１１６から信号タイプ情報と有効な原始データが入力されると、入力された有効な原始データを入力された信号タイプ情報に合致するように処理して、算出した車両速度に対応する車両速度情報を生成する。ＧＰＳ信号または矩形波パルス信号を入力され、車両速度情報を算出及び生成する過程は、当業者に自明な事項であるので、これに対する説明は省略する。
【００６２】
図２は、本発明の一実施例に係る車速算出装置を備えた運転者の状態監視システムの構成を示す図である。
【００６３】
図２を参照すると、前述した車速算出装置１００は、運転者の状態監視システム２００の一構成要素として含まれることができ、運転者の状態監視システム２００は、制御部２１０と運転者警告装置２２０とを更に含むことができる。
【００６４】
運転警告装置２２０は、運転者が居眠り運転をしているかどうかを判断し、運転者が居眠り運転状態であると判断されると、運転者警告装置２２０は、音響、振動などを出力して運転者の注意を喚起させる。運転警告装置２２０は、例えば、運転者の顔映像を撮影し、撮影された映像から運転者の瞳領域を検出することにより、運転者が居眠り運転状態であるかどうかを判断することができる。
【００６５】
制御部２１０は、車速算出装置１００によって車両が走行中の状態であると判断された場合にのみ、運転者警告装置２２０が前述した方式で動作するようにして、車両が停車した状態で運転者の眠気など運転者の意図された行為を妨害して引き起こされる不都合を防止することができる。
【００６６】
また、運転者の状態監視システム２００は、車速算出装置１００で算出した車両速度情報及び／または有効な原始データを車両の他の電子装置に転送するための伝達ユニット２３０を更に備えることもできる。
【００６７】
伝達ユニット２３０は、例えば、ＵＡＲＴポートとＮＭＥＡエンコーダとを含むことができる。つまり、伝達ユニット２３０は、シリアルインタフェースを介してＵＡＲＴ通信方式に有効な原始データを伝達し、有効な原始データがＧＰＳ信号である場合には、ＵＡＲＴポートを介してバイパスして転送するようにし、有効な原始データが矩形波パルス信号ある場合には、ＮＭＥＡエンコーダによってＧＰＳ信号規格に合致するように変換された後、ＵＡＲＴポートを介して伝達することができる。
【００６８】
伝達ユニット２３０は、独立した構成要素に具現されることもあり、車速算出装置１００に含まれることもある。
【００６９】
図３は、本発明の一実施例に係る車速算出方法を示したフローチャートである。
【００７０】
図３を参照すると、段階３１０において、信号判別部１１６は、接続検知部１１２から入力される接続通知または接続解除通知を参照して、測位器１３２またはセンサー１３４である原始データ生成装置１３０が入力ソケット１０５に接続されているかどうかを判断する。
【００７１】
もし、原始データ生成装置１３０が入力ソケット１０５に接続されていないと、段階３１０で待機する。しかし、もし原始データ生成装置１３０が入力ソケット１０５に接続されていると、段階３２０に進む。
【００７２】
段階３２０において、信号判別部１１６は、入力ソケット１０５から信号入力部１１４のＵＡＲＴポートとＧＰＩＯポートを介して各々入力された２つの原始データに対する有効性検査を実施して、有効な原始データを判別し、これに対応する信号タイプ情報を生成する。続いて、信号判別部１１６は、車速算出部１１８で生成した信号タイプ情報と有効な原始データを提供する。
【００７３】
段階３３０において、車速算出部１１８は、入力された有効な原始データを入力された信号タイプ情報に合致するように処理して、算出した車両速度に対応する車両速度情報を生成する。ＧＰＳ信号または矩形波パルス信号を有効な原始データとして入力され、これを用いて、車両速度を算出する過程は、当業者に自明な事項であるので、これに対する説明は省略する。
【００７４】
段階３４０において、号判別部１１６は、入力ソケット１０５から信号入力部１１４のＵＡＲＴポートとＧＰＩＯポートを介して各々入力された２つの原始データのうち、有効な原始データを再判別するための時点に該当するかどうかを判断する。
【００７５】
信号判別部１１６は、信号入力部１１４から継続的に２つの原始データが入力される時点ごとに有効な原始データを判別するための作業を繰り返し行わず、予め指定された条件に合致したとき、予め指定された単位時間の間のみ有効な原始データの判別及び信号タイプ情報を生成するための処理を行い、指定された条件に再び合致するまでは、信号タイプ情報に対応する原始データを車速算出部１１８にバイパスさせる処理を行うことができる。
【００７６】
ここで、予め指定された条件は、例えば、接続検知部１１２から接続解除通知が入力されてから、接続通知が再入力された場合、車両が始動オフの状態から始動オンに切り替えられた場合などがこれに該当する。そして、予め指定された単位時間は、入力された２つの原始データのうち１つ以上に対する有効性検査を完了して、信号タイプ情報を生成するために必要な時間に予め指定することができる。
【００７７】
もし、有効な原始データの再判別時点に該当すると、段階３１０に進む。しかし、もし有効な原始データの再判別時点に該当しないと、段階３３０に進み、信号判別部１１６は、段階３２０で生成した信号タイプ情報に対応する原始データを車速算出部１１８にバイパス処理する。
【００７８】
上記では、本発明の実施例を参照して述べたが、当該技術分野において通常の知識を有する者であれば、下記の特許請求の範囲に記載された本発明の思想及び領域から逸脱しない範囲内で、本発明を多様に修正及び変更できることが理解できるだろう。
【図１】
2019515268.tif 000003
【図２】
2019515268.tif 000004
【図３】
2019515268.tif 000005
【国際調査報告】
2019515268.tif 000006
2019515268.tif 000007
2019515268.tif 000008
2019515268.tif 000009